(57)【要約】【課題】折り畳み型携帯電話機では、閉状態では、表示側筐体と入力側筐体の間に、入力側筐体のキーなどにより、表示側筐体の内側面に設けられている表示部を保護するスクリーンに傷が付くのを防止するため、隙間が設けられ、それにより薄型化が制限される。【解決手段】入力側筐体１０は、閉状態のときに表示側筐体７の内側面と対向する内側面の筐体部が、キーとキーシートを一体化構成とした弾性体からなる一体構成部１１とし、それ以外の側面部１２等は樹脂で構成された筐体である。これにより、閉状態時に表示側筐体７と入力側筐体１０との間の隙間をなくすことができ、両者を密接対向させることができるため、薄型化を実現できる。【選択図】図１
2008067022.tif 000002
【特許請求の範囲】
【請求項１】
内側面に表示部が少なくとも設けられた第１の筐体と、内側面に入出力のための各種のキーが少なくとも設けられた第２の筐体の各一側端部同士がヒンジ機構で回動自在に結合され、前記第１及び第２の筐体の各内側面同士を対向させた閉状態と、前記第１及び第２の筐体の各内側面同士を所定角度拡開させた開状態とのいずれかで使用する折り畳み型携帯通信端末の薄型化構造であって、
前記閉状態時に前記第１の筐体の内側面に対向する前記第２の筐体の内側面の筐体部である天面部を、少なくとも該天面部と前記キーとを一体化し、かつ、弾性体で構成した一体構成部とし、前記閉状態時に前記第１の筐体の内側面と該天面部とを密接対向させることを特徴とする携帯通信端末の薄型化構造。
【請求項２】
内側面に表示部が少なくとも設けられた第１の筐体と、内側面に入出力のための各種のキーが少なくとも設けられた第２の筐体の各一側端部同士がヒンジ機構で回動自在に結合され、前記第１及び第２の筐体の各内側面同士を対向させた閉状態と、前記第１及び第２の筐体の各内側面同士を所定角度拡開させた開状態とのいずれかで使用する折り畳み型携帯通信端末の薄型化構造であって、
前記閉状態時に前記第１の筐体の内側面に対向する前記第２の筐体の内側面の筐体部である天面部を、少なくとも該天面部と前記キーとを一体化し、かつ、弾性体で構成した一体構成部とし、該一体構成部の内側と前記第２の筐体の側面部の内側にそれぞれ前記一体構成部よりも剛性の高い補強部を形成し、前記閉状態時に前記第１の筐体の内側面と該天面部とを密接対向させることを特徴とする携帯通信端末の薄型化構造。
【請求項３】
複数の前記キーが前記第２の筐体の筐体面から一部突出すると共に、複数の前記キーに接触しているキーシートと、前記キーの押下時は前記キーが前記キーシートを介して変形される各キー毎に設けられた複数のメタルドームと、押下された前記キーに対応して設けられた前記メタルドームの変形によりそのメタルドームに対応したキーの電気的接続を行う回路が搭載されたキー基板とが前記第２の筐体に内蔵されている携帯通信端末の薄型化構造であって、
前記一体構成部は、複数の前記キーと前記キーシートと前記天面部とが一体形成されており、その一体構成部の複数の前記キーの各々の周囲には隣接するキーとを区別する溝部が形成されていることを特徴とする請求項１又は２記載の携帯通信端末の薄型化構造。
【請求項４】
前記一体構成部は透明部材で構成されており、前記補強部は着色されていることを特徴とする請求項２又は３記載の携帯通信端末の薄型化構造。
【請求項５】
内側面に表示部が少なくとも設けられた第１の筐体と、内側面に入出力のための各種のキーが少なくとも設けられた第２の筐体の各一側端部同士がヒンジ機構で回動自在に結合され、前記第１及び第２の筐体の各内側面同士を対向させた閉状態と、前記第１及び第２の筐体の各内側面同士を所定角度拡開させた開状態とのいずれかで使用する折り畳み型携帯通信端末において、
前記閉状態時に前記第１の筐体の内側面に対向する前記第２の筐体の内側面の筐体部である天面部と、前記キーとを一体化し、かつ、弾性体で構成した一体構成部を有し、前記閉状態時は前記第１の筐体の内側面と該天面部とを密接対向した状態とすることを特徴とする携帯通信端末。
【請求項６】
内側面に表示部が少なくとも設けられた第１の筐体と、内側面に入出力のための各種のキーが少なくとも設けられた第２の筐体の各一側端部同士がヒンジ機構で回動自在に結合され、前記第１及び第２の筐体の各内側面同士を対向させた閉状態と、前記第１及び第２の筐体の各内側面同士を所定角度拡開させた開状態とのいずれかで使用する折り畳み型携帯通信端末において、
前記閉状態時に前記第１の筐体の内側面に対向する前記第２の筐体の内側面の筐体部である天面部と前記キーとを一体化し、かつ、弾性体で構成した一体構成部を有すると共に、該一体構成部の内側と前記第２の筐体の側面部の内側にそれぞれ前記一体構成部よりも剛性の高い補強部が形成されており、前記閉状態時に前記第１の筐体の内側面と該天面部とを密接対向した状態とすることを特徴とする携帯通信端末。
【請求項７】
前記一体構成部は透明部材で構成されており、前記補強部は着色されていることを特徴とする請求項６記載の携帯通信端末。
【発明の詳細な説明】
【技術分野】
【０００１】
本発明は携帯通信端末の薄型化構造及び携帯通信端末に係り、特に携帯電話機、ＰＨＳ（Personal Handy-phone System）等の携帯電話端末装置やＰＤＡ（Personal Digital Assistance）、ノートパソコン等の携帯情報処理装置などの携帯通信端末の薄型化構造及びその薄型化構造を備えた携帯通信端末に関する。
【背景技術】
【０００２】
近年、携帯通信端末の高機能化・高性能化と共に、デザインにおける質の向上や筐体の薄型化がトレンドになっている。携帯通信端末の高機能化・高性能化は、携帯通信端末内部の実装部品の物量の増加をもたらす。これに対し、携帯通信端末の筐体の薄型化は、携帯通信端末の内部の部品実装面積の狭小化をもたらし、携帯通信端末の性能・機能向上による内部実装部品の増加とは背反する。このため、携帯通信端末内部に実装される基板等の高密度実装や、携帯通信端末の効率的な内部部品の配置、より高剛性な筐体材料の使用等、様々な研究が進められている。
【０００３】
例えば、電子カメラユニットが搭載された携帯電話機では、電子カメラユニットが搭載されても携帯電話機の筐体自体のサイズは少なくとも従来通りのサイズが求められるため、電子カメラユニット自体の小型化・軽量化・薄型化が図られ、そのために例えば電子カメラユニットを構成するカメラ回路モジュールの一部にＤＳＰ(Digital Signal Processor)を用いることが行われている。
【０００４】
しかし、この場合、カメラ回路モジュールの高密度に配置された信号配線からデータ信号やクロックの高調波が輻射されて主回路基板側に伝播し、例えば無線通信部の回路の受信感度の抑圧をもたらしたり、主回路基板の無線通信部からの送信波がカメラ回路モジュール内に侵入して、例えば撮像デバイスの出力信号にノイズとして混入して映像信号を乱すなどの悪影響が生じることがあるので、カメラ回路モジュールのアース配線上で安定したアース電位を確実に得ることができるように、カメラ回路モジュールと筐体との間に、導電性部材を介挿することによって、回路モジュールと筐体とを電気的に接続し、アースを強化するようにすると共に、リード線でカメラ回路モジュールと筐体とをはんだ付けする場合に必要であったカメラ回路モジュールと筐体との間の隙間を殆どなくし、筐体の小型化・軽量化・薄型化を実現する構造が従来提案されている（例えば、特許文献１参照）。
【０００５】
ところで、内側面に表示部や受話音声などの発音用レシーバとが少なくとも設けられた大略薄型直方体形状の第１の筐体（以下、表示側筐体ともいう）と、内側面に情報入出力のための各種のキーや送話音声収音のためのマイクとが少なくとも設けられた大略薄型直方体形状の第２の筐体（以下、入力側筐体ともいう）とが、各々の一側端部同士をヒンジ機構で回動自在に結合され、互いの内側面同士が略密接した閉状態（折り畳み状態）か、互いの内側面同士を所定角度拡開してキーを使用可能な状態とする開状態のいずれかで用いられる折り畳み型携帯電話機が近年広く普及している。
【０００６】
図４はこの折り畳み型携帯電話機の閉状態時の一例の部分断面図を示す。同図に示すように、入力側筐体１にはキー２のための開口部３が穿設されており、その開口部３にキー２が図中、上下方向に揺動自在に遊嵌されている。一般にキー２の材質は樹脂である。キー２は入力側筐体１内に設けられたキーシート４に接着されている。一般に、キーシート４の材質はラバーやシリコンゴム等である。入力側筐体１内において、キーシート４の下にはキー基板５があり、キー２の直下にはキーシート４とキー基板５の間にメタルドーム６があり、キー２を押すことによりこのメタルドーム６が変形し電気的な接点が発生する。
【０００７】
図４に示すように、従来折り畳み型携帯電話機では、入力側筐体１のキー２が設けられた内側面に、表示側筐体７の内側面が近接離間対向する閉状態（折り畳み状態）では、表示側筐体と入力側筐体の間に、コンマ数ミリ程度の隙間８が設けられている。これは、入力側筐体１のキー２などにより、表示側筐体７の内側面に設けられている表示部（多くは液晶表示素子（ＬＣＤ）、有機ＥＬなど）を保護するスクリーンに傷が付くのを防止するためである。このため、上記の隙間８により従来の折り畳み型携帯電話機では薄型化に制限があるという問題がある。
【０００８】
なお、折り畳み型携帯電話機において、閉状態に入力側筐体の特定のキー（例えば、ポジショニングボタン）が表示側筐体の表示部に接触することを防止するため、特定のキーを凹み部内に突起部を設け、閉状態でも突起部が表示部に接触しない高さ位置とした構造の携帯電話機も従来開示されている（例えば、特許文献２参照）。
【０００９】
【特許文献１】特開２００４−１９３０８２号公報
【特許文献２】特開２００６−０６７６３５号公報
【発明の開示】
【発明が解決しようとする課題】
【００１０】
しかるに、特許文献１記載の発明は、カメラ回路モジュールなどの機能ユニットと筐体との間を導電性部材で密着させて電気的接続を実現すると共に薄型化を実現する構造であり、折り畳み型携帯電話機の閉状態時の２つの筐体間の隙間の存在による薄型化の制限の問題を解決することはできない。また、特許文献２記載の発明は、ポジショニングボタンなどの特定キーの触感を維持した状態で、閉状態時でも特定キーが表示部に接触しないようにした発明であって、このものもやはり閉状態時の２つの筐体間の隙間の存在による薄型化の制限の問題を解決することはできない。
【００１１】
本発明は以上の点に鑑みなされたもので、携帯通信端末の内部実装に極力依存せずに、折り畳み時の携帯通信端末を薄型化する薄型化構造及びその薄型化構造を備えた携帯通信端末を提供することを目的とする。
【課題を解決するための手段】
【００１２】
上記の目的を達成するため、第１の発明は内側面に表示部が少なくとも設けられた第１の筐体と、内側面に入出力のための各種のキーが少なくとも設けられた第２の筐体の各一側端部同士がヒンジ機構で回動自在に結合され、第１及び第２の筐体の各内側面同士を対向させた閉状態と、第１及び第２の筐体の各内側面同士を所定角度拡開させた開状態とのいずれかで使用する折り畳み型携帯通信端末の薄型化構造であって、閉状態時に第１の筐体の内側面に対向する第２の筐体の内側面の筐体部である天面部を、少なくとも天面部とキーとを一体化し、かつ、弾性体で構成した一体構成部とし、閉状態時に第１の筐体の内側面と天面部とを密接対向させることを特徴とする。
【００１３】
この発明では、第１及び第２の筐体の各内側面同士を対向させた閉状態時において、第１の筐体の内側面に対向する第２の筐体の内側面の筐体部である天面部を、少なくとも天面部とキーとを一体化し、かつ、弾性体で構成した一体構成部としたため、閉状態時に第１の筐体の内側面に傷が付かないようにすることができ、これにより、閉状態時に第１の筐体と第２の筐体の隙間をなくすことができ、第１の筐体の内側面と天面部とを密接対向させることができる。
【００１４】
また、上記の目的を達成するため、第２の発明は、内側面に表示部が少なくとも設けられた第１の筐体と、内側面に入出力のための各種のキーが少なくとも設けられた第２の筐体の各一側端部同士がヒンジ機構で回動自在に結合され、第１及び第２の筐体の各内側面同士を対向させた閉状態と、第１及び第２の筐体の各内側面同士を所定角度拡開させた開状態とのいずれかで使用する折り畳み型携帯通信端末の薄型化構造であって、閉状態時に第１の筐体の内側面に対向する第２の筐体の内側面の筐体部である天面部を、少なくとも天面部とキーとを一体化し、かつ、弾性体で構成した一体構成部とし、一体構成部の内側と第２の筐体の側面部の内側にそれぞれ一体構成部よりも剛性の高い補強部を形成し、閉状態時に第１の筐体の内側面と天面部とを密接対向させることを特徴とする。
【００１５】
この発明では、閉状態時に第１の筐体の内側面に対向する第２の筐体の内側面の筐体部である天面部を、少なくとも天面部とキーとを一体化し、かつ、弾性体で構成した一体構成部とすると共に、一体構成部の内側と第２の筐体の側面部の内側にそれぞれ一体構成部よりも剛性の高い補強部を形成するようにしたため、弾性体である一体構成部の剛性を確保することができる。
【００１６】
また、上記の目的を達成するため、第３の発明は、第１及び第２の発明の複数のキーが第２の筐体の筐体面から一部突出すると共に、複数のキーに接触しているキーシートと、キーの押下時はキーがキーシートを介して変形される各キー毎に設けられた複数のメタルドームと、押下されたキーに対応して設けられたメタルドームの変形によりそのメタルドームに対応したキーの電気的接続を行う回路が搭載されたキー基板とが第２の筐体に内蔵されている携帯通信端末の薄型化構造であって、一体構成部は、複数のキーとキーシートと天面部とが一体形成されており、その一体構成部の複数のキーの各々の周囲には隣接するキーとを区別する溝部が形成されていることを特徴とする。
【００１７】
また、上記の目的を達成するため、第４の発明は、一体構成部は透明部材で構成されており、補強部は着色されていることを特徴とする。この発明では、ユーザは透明部材を通して着色されている補強部を見ることができる。
【００１８】
また、上記の目的を達成するため、第５の発明は、内側面に表示部が少なくとも設けられた第１の筐体と、内側面に入出力のための各種のキーが少なくとも設けられた第２の筐体の各一側端部同士がヒンジ機構で回動自在に結合され、第１及び第２の筐体の各内側面同士を対向させた閉状態と、第１及び第２の筐体の各内側面同士を所定角度拡開させた開状態とのいずれかで使用する折り畳み型携帯通信端末において、閉状態時に第１の筐体の内側面に対向する第２の筐体の筐体部である天面部と、キーとを一体化し、かつ、弾性体で構成した一体構成部を有し、閉状態時は第１の筐体の内側面と天面部とを密接対向した状態とすることを特徴とする。
【００１９】
この発明では、第１及び第２の筐体の各内側面同士を対向させた閉状態時において、第１の筐体の内側面に対向する第２の筐体の内側面の筐体部である天面部を、少なくとも天面部とキーとを一体化し、かつ、弾性体で構成した一体構成部としたため、閉状態時に第１の筐体の内側面と天面部とを密接対向させる折り畳み型携帯通信端末を得ることができる。
【００２０】
また、上記の目的を達成するため、第６の発明は、内側面に表示部が少なくとも設けられた第１の筐体と、内側面に入出力のための各種のキーが少なくとも設けられた第２の筐体の各一側端部同士がヒンジ機構で回動自在に結合され、第１及び第２の筐体の各内側面同士を対向させた閉状態と、第１及び第２の筐体の各内側面同士を所定角度拡開させた開状態とのいずれかで使用する折り畳み型携帯通信端末において、閉状態時に第１の筐体の内側面に対向する第２の筐体の筐体部である天面部とキーとを一体化し、かつ、弾性体で構成した一体構成部を有すると共に、一体構成部の内側と第２の筐体の側面部の内側にそれぞれ一体構成部よりも剛性の高い補強部が形成されており、閉状態時に第１の筐体の内側面と天面部とを密接対向した状態とすることを特徴とする。
【００２１】
この発明では、補強部により天面部の剛性を確保することができるため、閉状態時に第１の筐体の内側面とある程度剛性のある天面部とを密接対向させる折り畳み型携帯通信端末を得ることができる。
【００２２】
ここで、上記の一体構成部は透明部材で構成されており、補強部は着色されていてもよい。この場合は、折り畳み型携帯通信端末のユーザは透明部材を通して着色されている補強部を見ることができる。
【発明の効果】
【００２３】
本発明によれば、第１及び第２の筐体の各内側面同士を対向させた閉状態時において、第１の筐体の内側面に対向する第２の筐体の内側面の筐体部である天面部を、少なくとも天面部とキーとを一体化し、かつ、弾性体で構成した一体構成部とすることにより、閉状態時に第１の筐体の内側面と天面部との間の隙間を無くし、両者を密接対向させることができるようにしたため、携帯通信端末を薄型化することができる。
【００２４】
また、本発明によれば、一体構成部の内側と第２の筐体の側面部の内側にそれぞれ一体構成部よりも剛性の高い補強部を形成することにより、弾性体である一体構成部の剛性を確保することができるため、携帯通信端末の筐体としての強度を確保することができる。
【００２５】
また、本発明によれば、一体構成部を透明部材で構成し、補強部を着色することで、奥行き感を演出するデザインを実現でき、携帯通信端末を薄型にすることができると共に新しいデザインイメージを提供することができる。
【発明を実施するための最良の形態】
【００２６】
次に、本発明の実施の形態について図面と共に説明する。図１は本発明になる携帯通信端末の一実施の形態の部分断面図を示す。同図中、図４と同一構成部分には同一符号を付してある。図１に示す実施の形態は、折り畳み型携帯電話機であり、表示側筐体７は従来と同一構成であるが、入力側筐体１０の構成に特徴がある。すなわち、入力側筐体１０は、内部にキー基板５、メタルドーム６が配置されている点は従来と同じであるが、閉状態のときに表示側筐体７の内側面と対向する内側面の筐体部（以下、これを天面部ともいう）が、キーとキーシートを一体化構成とした弾性体からなる一体構成部１１とし、それ以外の側面部１２等は樹脂で構成された筐体である点に特徴がある。
【００２７】
入力側筐体１０の一体構成部１１の材質はラバーやシリコンゴム等の弾性体である。ここで、一体構成部１１の複数のキーの操作面（キートップ）は同一平面上にあり、一体構成部１１の複数のキーに対応した位置に設けられている複数のメタルドーム６のそれぞれに対応した位置には、メタルドーム６の周囲を囲むように溝部１３が設けられている。
【００２８】
図２は一体構成部１１の一例の概略斜視図を示す。同図中、縦方向と横方向に形成された複数の溝部１３により囲まれた部分１４がキー位置を示す領域であり、この部分１４にキーの名称などを印刷することにより、この部分１４に対応するキーを識別できるようにされている。なお、図２ではキーの数６個の場合の例であるが、キーの数はこれに限定されるものではなく、またキーの位置、キーの数に対応して上記の溝部１３の位置や数も変わることは勿論である。
【００２９】
このように、溝部１３により一体構成部１１の任意のキー位置を区別できるようにすると共に任意のキー位置を押下して、そのキー位置の部分の一体構成部１１を下方向に変形させて、そのキー位置部分の直下にあるメタルドーム６を押下したときに、押下したキー位置に隣接する他のキーの位置に対応するメタルドームも一体構成部１１の変形に伴って一緒に押下されてしまうことがないようにしている。
【００３０】
これにより、閉状態時に表示側筐体７の内側面と入力側筐体１０の内側面を構成する一体構成部１１とを密接しても、一体構成部１１が弾性体であることから一体構成部１１により表示側筐体７の内側面の表示部に傷が付くことはなく、よって、図１に示すように、閉状態時には表示側筐体７の内側面と入力側筐体１０の一体構成部１１とを密接した状態とすることができ、従来存在した隙間８を無くすことができ、携帯電話機の薄型化を実現することができる。
【００３１】
次に、本発明の他の実施の形態について説明する。図３は本発明になる携帯通信端末の他の実施の形態の部分断面図を示す。同図中、図１と同一構成部分には同一符号を付してある。図３に示す実施の形態は、図１と同様、折り畳み型携帯電話機であり、表示側筐体７は従来と同一構成であるが、入力側筐体１５の構成に特徴がある。図１に示した入力側筐体１０は、側面部１２は樹脂であるが、閉状態時に表示側筐体７に対向する筐体部（天面部）の一体構成部１１は弾性体であるため、全て樹脂で構成された既存の筐体と比較して、筐体剛性が低下し筐体としての強度を保てない可能性がある。
【００３２】
そこで、図３に示す実施の形態は、筐体剛性を図１の実施の形態よりも高めたものである。図３に示すように、入力側筐体１５は、閉状態のときに表示側筐体７の内側面と対向する内側面の筐体部（天面部）が、キーとキーシートを一体化構成とした弾性体からなる一体構成部１６とされ、それ以外の側面部１２等は樹脂で構成された筐体である点は図１に示した実施の形態と同様であるが、一体構成部１６及び側面部１２の内側面に板状で剛性の高い補強部１８をインサート成形した点に特徴がある。
【００３３】
上記の補強部１８は例えば板金（ＳＵＳ材）で構成され、メタルドーム６に対応する位置には開口部１９が穿設されている。また、一体構成部１６の複数のキーに対応した位置に設けられている複数のメタルドーム６のそれぞれに対応した位置には、メタルドーム６の周囲を囲むように溝部１７が設けられており、これにより任意のキー位置を区別できるようにすると共に、一体構成部１６の任意のキー位置を押下して、そのキー位置の直下にあるメタルドーム６を補強部１８の開口部１９を介して一体構成部１６で押下したときに、押下したキー位置に隣接する他のキーの位置に対応するメタルドームも一緒に押下されてしまうことがないようにしている。
【００３４】
また、本実施の形態では、一体構成部１６は透明部材（透過率９２％以上のクリア材料）で構成され、かつ、補強部１８は着色されており、これにより、奥行き感を演出するデザインが施されている。ただし、この場合は、補強部１８を着色した場合でもキーを示すＬＣＤ等の表示面が見えるようにする必要がある。
【００３５】
本実施の形態によれば、閉状態時に表示側筐体７の内側面と入力側筐体１５の内側面を構成する一体構成部１６とを密接しても、一体構成部１６が弾性体であることから一体構成部１６により表示側筐体７の内側面の表示部に傷が付くことはなく、よって、図３に示すように、閉状態時には表示側筐体７の内側面と入力側筐体１５の一体構成部１６とを密接した状態とすることができ、従来存在した隙間８を無くすことができ、携帯電話機の薄型化を実現することができると共に、補強部１８によって所望の筐体剛性を確保することができる。更に、本実施の形態では、一体構成部１６は透明部材（クリア材料）で構成され、かつ、補強部１８は着色されているため、奥行き感を演出するデザインを実現できる。
【００３６】
なお、以上の実施の形態では折り畳み型携帯電話機に適用した場合について説明したが、本発明はこれに限定されるものではなく、折り畳み構造を備えたノートパソコン等の携帯情報処理装置などにも適用できる。また、一体構成部１１、１６がかなり柔軟な弾性体の場合は隣接するスイッチも一緒に押下されることはないので、溝部１３、１７は設けなくてもよい。
【図面の簡単な説明】
【００３７】
【図１】本発明の一実施の形態の部分断面図である。
【図２】本発明の要部の一体構成部の一例の概略斜視図である。
【図３】本発明の他の実施の形態の部分断面図である。
【図４】従来の折り畳み型携帯電話機の部分断面図である。
【符号の説明】
【００３８】
５  キー基板
６  メタルドーム
７  表示側筐体
１０、１５  入力側筐体
１１、１６  一体構成部
１２  側面部
１３、１７  溝部
１８  補強部
１９  開口部
【図１】
2008067022.tif 000003
【図２】
2008067022.tif 000004
【図３】
2008067022.tif 000005
【図４】
2008067022.tif 000006